(57)【要約】【課題】表示部におけるメニュー表示を利用者に分かり易くし、メニュー項目に対する誤調整、誤操作を防止するのに有効な装置を得る。【解決手段】画像取り込み部と画像データ処理部と表示部と記憶部と制御部を有し、前記制御部は、前記表示部の左側領域に対してリング形の一部分の湾曲帯状像を表示させ、前記湾曲帯状像の左側である内側領域に現在のメニューが撮影メニューであるのか、再生メニューであるのか、セットアップメニューであるのかを識別するメニュー種類識別アイコン像を表示させ、前記湾曲帯状像上には、表示したメニュー種類識別アイコン像に対応した複数のメニュー項目アイコン像と、セットアップ用アイコン像を配列する表示パーツ選択部を有したことを特徴とする。【選択図】      図３
2009077228.tif 000002
【特許請求の範囲】
【請求項１】
画像取り込み部で取得された取得画像データを処理する画像データ処理部と、
前記画像データ処理部で処理された表示用画像データを表示する表示部と、
前記画像データ処理部で処理された記憶用画像データを記憶する記憶部と、
前記画像取り込み部、画像データ処理部、表示部、および記憶部を制御する制御部を有し、
前記制御部は、前記表示部の左側領域に対してリング形の一部分の湾曲帯状像を表示させ、前記湾曲帯状像の左側である内側領域に現在のメニューが撮影メニューであるのか、再生メニューであるのか、セットアップメニューであるのかを識別するメニュー種類識別アイコン像を表示させ、前記湾曲帯状像上には、表示したメニュー種類識別アイコン像に対応した複数のメニュー項目アイコン像と、セットアップ用アイコン像を配列する表示パーツ選択部を有したことを特徴とする撮像装置。
【請求項２】
前記表示パーツ選択部は、前記湾曲帯状像の右側である外側領域に前記メニュー項目アイコン像に対応してその意味を文字表示させることを特徴とする請求項１記載の撮像装置。
【請求項３】
前記表示部は表示パネルを含み前記表示パネルの左側辺の中央に、操作入力を与えるジョグダイヤルが設けられ、このジョグダイヤルの上部にメニューボタンが設けられており、
前記表示パーツ選択部は、撮影モードのときに、前記メニューボタンが押されたときに、前記湾曲帯状像の左側である内側領域に撮影メニューのメニュー種類識別アイコン像を表示させることを特徴とする請求項１記載の撮像装置。
【請求項４】
前記表示部は表示パネルを含み前記表示パネルの左側辺の中央に、操作入力を与えるジョグダイヤルが設けられ、このジョグダイヤルの上部にメニューボタンが設けられており、
前記表示パーツ選択部は、再生モードのときに、前記メニューボタンが押されたときに、前記湾曲帯状像の左側である内側領域に再生メニューのメニュー種類識別アイコン像を表示させることを特徴とする請求項１記載の撮像装置。
【請求項５】
前記表示部は表示パネルを含み前記表示パネルの左側辺の中央に、操作入力を与えるジョグダイヤルが設けられ、このジョグダイヤルの上部にメニューボタンが設けられ、下部に多機能ボタンが設けられており、
前記表示パーツ選択部は、撮影モードのとき、再生モードのときのいずれでも、前記湾曲帯状像上の前記セットアップ用アイコン像が選択されて前記多機能ボタンが押されたときに、前記セットアップメニューに移行することを特徴とする請求項１記載の撮像装置。
【請求項６】
画像取り込み部で取得された取得画像データを処理する画像データ処理部と、前記画像データ処理部で処理された表示用画像データを表示する表示部と、前記画像データ処理部で処理された記憶用画像データを記憶する記憶部と、前記画像取り込み部、画像データ処理部、表示部、および記憶部を制御する制御部を有する撮像装置の制御方法において、
前記表示部の左側領域に対してリング形の一部分の湾曲帯状像を表示させるステップと、
前記湾曲帯状像の左側である内側領域に現在のメニューが撮影メニューであるのか、再生メニューであるのか、セットアップメニューであるのかを識別するメニュー種類識別アイコン像を表示させるステップと、
前記湾曲帯状像上には、表示したメニュー種類識別アイコン像に対応した複数のメニュー項目アイコン像と、セットアップ用アイコン像を配列するステップとを有したことを特徴とする撮像装置の制御方法。
【請求項７】
前記湾曲帯状像の右側である外側領域に前記メニュー項目アイコン像に対応してその意味を文字表示させることを特徴とする請求項６記載の撮像装置の制御方法。
【請求項８】
前記表示部は表示パネルを含み前記表示パネルの左側辺の中央に、操作入力を与えるジョグダイヤルが設けられ、このジョグダイヤルの上部にメニューボタンが設けられており、
再生モードで前記メニューボタンが押されたときに、前記湾曲帯状像の左側である内側領域に再生メニューのメニュー種類識別アイコン像を表示させ、
撮影モードで前記メニューボタンが押されたときに、前記湾曲帯状像の左側である内側領域に撮影メニューのメニュー種類識別アイコン像を表示させ、
前記撮影モード、前記再生モードのいずれでも、前記湾曲帯状像上のセットアップ用アイコン像が選択されて前記多機能ボタンが押されたときに、セットアップメニューに移行することを特徴とする請求項６記載の撮像装置の制御方法。
【発明の詳細な説明】
【技術分野】
【０００１】
この発明は、撮像装置とその制御方法に関するものである。特にこの発明は、メニュー表示がされているときに装置本体の撮影、あるいは再生、あるいはセットアップのいずれの動作に対するメニュー表示であるのかを分かりやすくしたものである。
【背景技術】
【０００２】
撮像装置には、メニュー表示機能がある。表示部において、全体メニュー表示状態から、撮影メニュー、再生メニュー、セットアップメニューなどに移行することができる。ところが、所定のメニュー表示に移行した後、利用者は、メニュー項目の中から希望のメニュー項目を選択して、該項目に対応した機能を設定することができる（例えば特許文献１及び２）。
【０００３】
ところが撮影メニューと再生メニューにおいて、同じアイコンが現れることがある。例えば画像消去などのアイコンである。また撮影メニュー、再生メニューとも設定項目が多く、利用者は、現在のメニューが撮影メニュー、再生メニュー、セットアップメニューのいずれが表示されているのか迷うことがある。また撮影や再生時にセットアップを変更したいときに、最初の基本メニューに戻る必要があり操作がわずらわしいという問題がある。
【０００４】
利用者は不要な機能の調整や設定をしたり、必要な機能の調整や設定の誤操作を行なったりすることがある。このために更に操作性がよく、誤操作、誤調整の防止が得られる装置が要望されている。
【特許文献１】特開２００６−１９１３００号
【特許文献２】特開２００６−１４８８７４号
【発明の開示】
【発明が解決しようとする課題】
【０００５】
そこでこの発明は、表示部におけるメニュー表示を利用者に分かり易くし、メニュー項目に対する誤調整、誤操作を防止するのに有効な撮像装置とその制御方法を提供することにある。
【課題を解決するための手段】
【０００６】
上記課題を解決するために、この発明の一例では、画像取り込み部で取得された取得画像データを処理する画像データ処理部と、前記画像データ処理部で処理された表示用画像データを表示する表示部と、前記画像データ処理部で処理された記憶用画像データを記憶する記憶部と、前記画像取り込み部、画像データ処理部、表示部、および記憶部を制御する制御部を有し、前記制御部は、前記表示部の左側領域に対してリング形の一部分の湾曲帯状像を表示させ、前記湾曲帯状像の左側である内側領域に現在のメニューが撮影メニューであるのか、再生メニューであるのか、セットアップメニューであるのかを識別するメニュー種類識別アイコン像を表示させ、前記湾曲帯状像上には、表示したメニュー種類識別アイコン像に対応した複数のメニュー項目アイコン像と、セットアップ用アイコン像を配列する表示パーツ選択部を有したことを特徴とする。なおこの明細書では撮像と撮影は同じ意味で用いることにする。
【発明の効果】
【０００７】
上記の手段によると、メニュー項目アイコン像を選択し、メニュー項目に対応した機能の調整、設定などを行なう場合、上記撮影メニューであるのか、再生メニューであるのか、セットアップメニューであるのかを識別するメニュー種類識別アイコン像が表示されているために、操作を誤ることがなく、装置の信頼性を向上できる。
【発明を実施するための最良の形態】
【０００８】
以下図面を参照して、この発明の実施の形態を説明する。図１には、この発明が適用された撮像装置、例えばハイビジョン・ビデオカメラの概観を示している。ハイビジョン・ビデオカメラは、動画の撮影、および静止画の撮影が可能である。
【０００９】
図１（Ａ）はハイビジョン・ビデオカメラを上部から見た図である。また、図１（Ｂ）はハイビジョン・ビデオカメラを後方から見た図である。図１（Ａ）及び図１（Ｂ）に示すように、ハイビジョン・ビデオカメラは、撮像装置本体１０００、表示パネル２０００、及びレンズ部４０００を備えている。
【００１０】
撮像装置本体１０００は、電源スイッチ１１００、ズームレバー１１０１、撮像／再生切替ボタン１１０２、撮像ボタン１１０３、チャプターボタン１１０４、及びオート設定ボタン１１０５を備えている。
【００１１】
電源スイッチ１１００は、ハイビジョン・ビデオカメラの電源状態を切り替える為のものである。ズームレバー１１０１は、レンズ部４０００のレンズの焦点距離を調整する為のものである。撮像／再生切替ボタン１１０２は、ハイビジョン・ビデオカメラの動作モードを、映像を撮像する撮影モードと記憶されている撮像データを再生する再生モードとで切り替える為のものである。撮像ボタン１１０３は、ハイビジョン・ビデオカメラの動作モードが撮影モードである場合に映像の記録を実行するものである。チャプターボタン１１０４は、撮像データに区切りを設定する為のものである。オート設定ボタン１１０５は、映像を撮像する場合、例えば、高感度、明るさ等の各種の設定を自動的に設定する処理を実行させるためのものである。また１１０６は、静止画撮影用のボタンである。
【００１２】
表示パネル２０００は、撮像装置本体１０００に対して開閉可能な状態で取り付けられているハイビジョン・ビデオカメラの表示部である。この表示パネル２０００は、通常は、撮像装置本体１０００の凹部に収まるもので、使用時には図に示すように開かれる。表示パネル２０００は、表示パネル２０００の長手方向を軸として回転することが出来る。表示パネル２０００は、液晶モニタを備えている。液晶モニタは、ハイビジョン・ビデオカメラが撮像している映像を表示するものであり、アスペクト比１６：９のハイビジョン用画面により構成されている。表示パネル２０００の液晶モニタの外枠には、ジョグダイヤル２１００、メニューボタン２１０１、多機能ボタン２１０３が設けられている。
【００１３】
ジョグダイヤル２１００は、各種機能の選択操作を行うためのものであり、例えば、回転可能なダイヤルにより構成される。メニューボタン２１０１は、液晶モニタに各種のメニュー表示を行うためのものである。多機能ボタン２１０３は、十字キー機能を含み各種機能の選択操作を行うことができ、例えば、上下方向及び左右方向に押し下げ可動可能である。また多機能ボタン２１０３は、ＯＫボタン機能を含み、各種機能の選択操作を確定するためのものであり、十字キーの中央に設けられている。なお、メニューボタン２１０１、ジョグダイヤル２１００と多機能ボタン２１０３とが隣接して設けることにより、ジョグダイヤル２１００を操作後にＯＫボタンを容易に操作することができる。右手で撮像装置本体１０００を安定して支え、左手で表示パネル２０００のフレームを支えて、かつ、左手の親指で、メニューボタン２１０１、ジョグダイヤル２１００と多機能ボタン２１０３を任意に選択して操作することができ、操作性が優れている。
【００１４】
レンズ部４０００は、映像を撮像するためのものであり、映像を受光するための撮像レンズを有する。
【００１５】
図２は、上記のハイビジョン・ビデオカメラの光学系、及び電気系のブロック構成を示す図である。ハイビジョン・ビデオカメラは、画像取り込み部１００、信号処理部２００、表示部３００、記憶部４００、及び制御部５００を備えている。
【００１６】
画像取り込み部１００は、レンズ１１、撮像素子１２、アナログデジタル（Ａ／Ｄ）変換部１３、制御部１８を備えている。レンズ１１から取り込まれた被写体像は、撮像素子１２（例えばＣＣＤ撮像素子）の結像面に結像させる。被写体像は、ここで電気信号に変換されアナログデジタル（Ａ／Ｄ）変換部１３によりデジタル信号（映像データ）に変換され、後段の信号処理部１４に入力する。撮像部の制御部１８は、制御部５００からの制御信号に応じてズーム調整、自動アイリス調整（ＡＥ）、自動フォーカス調整（ＡＦ）、フラッシュ制御等を行うことができる。
【００１７】
信号処理部２００は、信号処理部１４、メモリコントローラ１５、画像圧縮・伸張処理部１６、ワークメモリ１７、及びメモリ４５を備えている。信号処理部１４では、画像取り込み部１００からの被写体像のデジタル信号に対してガンマ補正、色信号分離、ホワイトバランス調整等が行われる。通常の撮影状態で撮影開始操作（シャッタ操作）がなされていないときは、信号処理部１４からの映像データは、メモリコントローラ１５を介して画像表示処理部６１に入力される。撮影開始操作（シャッタ操作）がなされると、映像データは、画像圧縮・伸張処理部１６において、記憶部４００に格納する為に画像圧縮（例えばＪＰＥＧ方式による圧縮）が施される。
【００１８】
ワークメモリ１７は、例えば、画像データを編集したり、サムネイル画像を作成したり、画像の順番の入れ替えをするときに利用される。さらには、各種のアイコンを編集する場合にも利用される。このワークメモリ１７は、１画面分の画像データ或は複数画面分の画像データを保存することができる。このワークメモリ１７に保存されている映像データは、メモリコントローラ１５を介して画像表示処理部６１に入力される。
【００１９】
表示部３００は、画像表示処理部６１、及び液晶モニタ６２を備えている。画像表示処理部６１は、受信した映像データを液晶モニタ６２に表示する為の変換処理及びメニューなどの各種の表示パーツ（アイコンなど）を合成するＶｉｄｅｏ  ＯＳＤ合成を行い、液晶モニタ６２に供給する。液晶モニタ６２は、受信した映像データを逐次表示する。これにより、撮像中の画像、あるいはスタンバイ状態で狙っている被写体画像が液晶モニタ６２に表示される。
【００２０】
記憶部４００は、記憶メディアＩｎｐｕｔ／Ｏｕｔｐｕｔ（Ｉ／Ｏ）３１を備えている。記憶メディアＩ／Ｏ３１には、ハードディスク（ＨＤ）３２Ａ、若しくは半導体メモリ３２Ｂなどの記憶媒体が装着される。記憶メディアＩ／Ｏ３１に装着されている記憶媒体には、制御部５００による制御に基づいて、映像データが格納される。また、制御部５００による制御に基づいて、記憶メディアＩ／Ｏ３１に装着されている記憶媒体に格納されている映像データが読み出された場合、映像データは、画像圧縮・伸張処理部１６において伸張処理され、メモリコントローラ１５を介して画像表示処理部６１に入力される。即ち、再生画像が液晶モニタ６２に表示される。なお、記録メディアとしては、上記のものに限定されず、例えば光ディスク（ＤＶＤ）などであってもよい。
【００２１】
制御部５００は、システム制御部２０を備えている。システム制御部２０は、ハイビジョン・ビデオカメラ全体の動作を制御するものであり、ＣＰＵ、ＣＰＵの作業領域として機能するＲＡＭなどのバッファメモリ、ＣＰＵが実行する種々のプログラムや制御データなどが記憶されているＲＯＭなどのプログラムメモリなどから構成される。システム制御部２０では、ＣＰＵがプログラムメモリに記憶されているプログラムを実行することにより種々の機能を実現している。
【００２２】
また、ハイビジョン・ビデオカメラは、操作部２１、リモコン受信部２２、姿勢検出部２３、外部インターフェース２４、音声Ｉ／Ｏ４１、マイク４３、及びスピーカ４４を備えている。
【００２３】
操作部２１は、外部からの操作入力を受け取る為のものであり、図１に示した各種のボタン、またはスイッチの総称である。リモコン受信部２２は、外部の図示しないリモートコントローラによる操作入力を受信するためのものである。制御部５００は、操作部２１及びリモコン受信部２２により受信した操作入力を装置全体に反映させるように制御している。
【００２４】
図３は、上記したシステム制御部２０の内部の機能の一部をブロック化して示している。撮像制御部２０１は、操作入力に応じて撮影モードを設定し、撮像画像データを取り込むために各部を制御する。再生制御部２０２は、操作入力に応じて再生モードを設定する。表示制御部２０３は信号処理部２００からの表示用画像データを表示する。記録制御部２０４は、撮像した画像データが信号処理部２００で圧縮され、選択された記録メディアに記録されるように、各部を制御する。操作入力判定２１０は、操作部２１、あるいはリモコン受信部２２から入力した操作信号を解析して操作信号を判定する。
【００２５】
表示パーツ選択部２１１は、メニュー画面などに表示する任意の表示パーツ（アイコン、マークなど）を選択する。各種表示パーツは、メモリ或いは、画像表示処理部６１に格納されている。
【００２６】
表示パーツ移動処理部２１２は、操作入力に応答して、表示パーツの移動・消去などを制御する。ハイライト（カーソル）位置制御部２１４は、操作入力に応答して、ハイライト位置（カーソル位置）の表示位置を制御する。機能設定部２１５は、セットアップ部２１６と相俟って、撮像装置に対して各種機能を設定するための部分である。基本処理制御部２１７は、基本的な動作機能、例えばデータ転送、読出し、タイミング設定などを制御する部分である。サムネイル制御部２２０は、サムネイルの作成、表示出力、スクロールなどの制御を行なう。チャプター制御部２３０は、チャプター管理機能を有し、チャプターの生成、チャプターの代表画像の設定とその小画像の作成などを行なう。姿勢情報処理部２４０は、姿勢検出部２３からの情報を処理し、画面に対して、水平基準となる参照画像を表示したり、傾き状態に応じて参照画像の濃度を可変したりする。
【００２７】
図４は再生モードにおいて再生メニューが表示された様子を示している。図５は再生メニューが表示されたときに調整・設定できるメニュー項目の種類を示している。
【００２８】
図４の再生メニューの表示状態に移行するためには、撮像／再生切替ボタン１１０２を再生モードに設定し、表示部３００のメニューボタン２１０１を押すことにより再生メニュー表示状態とすることができる。このときは、湾曲帯状像２０５１の内側に再生モードを示すマーク（メニューの種類を示す意匠像）が表示される。そして、湾曲帯状像２０５１の上には、再生モードにおいて調整・設定が可能な複数のメニュー項目アイコンが、配列される。そして各メニュー項目アイコンの右側にはその説明が表示される。ジョグダイヤル２１０４を回転させるか、若しくは多機能ボタン２１０３の上側若しくは下側を押すことにより、複数のメニュー項目アイコンの位置を湾曲帯状像２０５１とともに回転させることができる。そして複数のメニュー項目のうち、湾曲帯状像２０５１の中央に位置するアイコンに対応した項目が選択可能である（図４の例では消去のアイコンが中央に位置している）。この状態で、多機能ボタン２１０３が押されると、消去対象となるプログラムあるいはチャプターの複数のサムネイルが表示され、消去希望のサムネイルの位置にカーソルを移動させて、多機能ボタンを押すと、対象となるプログラムあるいはチャプターを消去することができる。
【００２９】
メニュー項目としては、図５に示すような項目がある。メニュー項目が左側に記述され、右側に各メニュー項目の概要が説明されている。
【００３０】
図６は撮影モードにおいて撮影メニューが表示された様子を示している。図７は撮影メニューが表示されたときに調整・設定できるメニュー項目の種類を示している。
【００３１】
図６の撮影メニューの表示状態に移行するためには、撮像／再生切替ボタン１１０２を撮影モードに設定し、表示部３００のメニューボタン２１０１を押すことにより再生メニュー表示状態とすることができる。このときは、湾曲帯状像２０５１の内側に再生モードを示すマーク（メニューの種類を示す意匠像）が表示される。そして、湾曲帯状像２０５１の上には、撮影モードにおいて調整・設定が可能な複数のメニュー項目アイコンが、配列される。そして各メニュー項目アイコンの右側にはその説明が表示される。ジョグダイヤル２１０４を回転させるか、若しくは多機能ボタン２１０３の上側若しくは下側を押すことにより、複数のメニュー項目アイコンの位置を湾曲帯状像２０５１とともに回転させることができる。そして複数のメニュー項目のうち、湾曲帯状像２０５１の中央に位置するアイコンに対応した項目が選択可能である（図６の例では消去のアイコンが中央に位置している）。この状態で、多機能ボタン２１０３が押されると、消去対象となるプログラムあるいはチャプターの複数のサムネイルが表示され、消去希望のサムネイルの位置にカーソルを移動させて、多機能ボタン２１０３を押すと、対象となるプログラムあるいはチャプターを消去することができる。
【００３２】
メニュー項目としては、図７に示すような項目がある。メニュー項目が左側に記述され、右側に各メニュー項目の概要が説明されている。
【００３３】
上記した再生メニュー、撮影メニューのいずれにも、セットアップ項目のアイコンが表示可能である。このために撮影、再生のいずれのモードからもセットアップモードに移行することができる。
【００３４】
図８はセットアップモードにおいてセットアップメニューが表示された様子を示している。図９はセットアップメニューが表示されたときに調整・設定できるメニュー項目の種類を示している。メニュー項目が左側に記述され、右側に各メニュー項目の概要が説明されている。
【００３５】
図１０は、メニューが表示されたとき多機能ボタン２１０３を操作するとどのようにカーソルが移行するかを説明するためにしめした説明図である。
【００３６】
図１１には、この発明に係る装置がメニュー項目の表示状態に至るまでの簡単な動作フローを示している。操作入力があると、メニューボタンが操作されたか否かの判定が行なわれる（ステップＳＡ１，ＳＡ２）。メニューボタンが押されたとすると、現在のモードが撮影モードであるのか再生モードであるのかの判定がなされる（ステップＳＡ３、ＳＡ４）。いずれかのモードであれば、それぞれのモードに対応したメニュー種類識別アイコンと対応するメニューの表示が行なわれる（ステップＳＡ５、図４若しくは図６）。
【００３７】
メニュー表示状態においては、ボタン操作、またはジョグダイヤル操作に応じて、各種機能の設定が行なわれる（ステップＳＡ６）。メニューに関する操作以外の操作があれば（ステップＳＡ７）、メニューモードは終了する（ステップＳＡ８）。
【００３８】
上記したようにこの発明の装置によると、メニュー表示が行なわれているときに、前記湾曲帯状像の左側である内側領域に現在のメニューが撮影メニューであるのか、再生メニューであるのか、セットアップメニューであるのかを識別するメニュー種類識別アイコン像を表示させ、前記湾曲帯状像２０５１上には、表示したメニュー種類識別アイコン像に対応した複数のメニュー項目アイコン像と、セットアップ用アイコン像を配列する。この動作は、主として表示パーツ選択部２１１における制御フローにより実行される。
【００３９】
このメニュー種類識別アイコン像は、利用者がメニュー項目を選択し調整・設定を行なっているときは継続して表示されている。このために、利用者は現在調整・設定しているメニュー項目が、何のための項目であるのかを用意に認識することが可能となる。
【００４０】
さらに上記の装置について説明する。この装置において、ハードディスクまたはメモリカードに記録された静止画像または動画像を外部機器に転送あるいは外部機器から受信するときは、ＵＳＢコントローラを介してＵＳＢ端子から送受信することができる。これは外部機器がパーソナルコンピュータを想定している。インターフェースを介してＤＶＤレコーダのような画像記録再生装置に直接、ＭＰＥＧ圧縮された動画像を送受信することもできる。一般に、ＤＶＤレコーダにこれらの画像を転送するときは、ＭＰＥＧ圧縮された動画像をカメラ側でデコードし、ビデオ端子やＳ端子からアナログ出力し、画像記録再生装置側でアナログ信号を再圧縮して保存する。この方法では、例えば1時間記録した動画像をＤＶＤに記録するのに1時間かかる。しかし、ここではＭＰＥＧ圧縮した動画データは、このままストリーミングとしてネットワーク経由でＤＶＤに転送することができ、その転送時間は、圧縮率にも依存するが、実時間の数１０倍の速さを達成でき、画質は、再エンコードしないため高画質のままである。例えば１時間記録した動画像をＤＶＤレコーダに記録するのに１／１０だと６分で済む。ネットワークとしてＬＡＮを考えた場合、ＬＡＮコントローラを介してＬＡＮ端子から送受信する。なお、ＤＶＤレコーダへの転送は、動画に限定せずに静止画でも音声を含んだ場合でも構わない。
【００４１】
このように記録媒体が大容量のハードディスクの場合は、記録画像の枚数が増加するため、画像の送りや戻しに高速性が要求される。このため、それらをストレスなく操作するため、ジョグダイヤルが使用される。ジョグダイヤルは、システム全体を制御する制御部にその回転角と回転スピードの情報を与える。制御部は、それらの情報から画像の表示スピードなどを制御すれば良い。
【００４２】
本発明によるとこのジョグダイヤルの同心円状に、表示部３００の画面上のメニューアイコンを配置している。メニュー時の画面では、各メニュー項目がアイコン化されている。これらの複数のアイコンがジョグダイヤルの視覚上同心円状に配置され、ジョグダイヤルを回せば、その回転に同期してメニュー項目のアイコンも回転する仕組みである。さらに、ジョグダイヤルを表す意匠をジョグダイヤルとアイコン項目の間に置かれているので、ジョグダイヤルを回すことでメニューが選択、変更できることを使用者が直感的に理解できる。
【００４３】
ジョグダイヤルの回転に対して、メニュー項目アイコンの回転が速すぎたり遅すぎたり感じることがある。これはジョグダイヤルの回転半径と、メニュー項目アイコンの回転半径に差があるときに使用者が固有に感じるものである。本発明ではこれら２つの回転速度の関係を使用者が設定することができる。
【００４４】
使用者は、その設定をジョグダイヤルを回転して画面上のメニューから選択する。例えばセットアップメニューにて、「アイコン回転速度」を選択し、「よりや早く」、「早く」、「中間」、「遅く」、「より遅く」などの項目を選択して設定することができる。そして選択した結果をジョグダイヤルを回すことにより確認し、気に入らなければまた設定を可変して好みに合った速度を選べばよい。制御部はその設定を記憶しておき、ジョグダイヤルの入力とその設定値からメニュー上のアイコンの回転を制御する。
【００４５】
また、メニューの種類を表すメニュー種類識別アイコン（意匠）を表示することによって、使用者が表示しているメニューの種類を容易に理解できる。
【００４６】
ジョグダイヤルと、湾曲帯状像が同心円状に配置され、回転が同期しているので使用感、操作感が向上する。ジョグダイヤルを表す意匠を表示することで、ジョグダイヤルを回すことでメニューの選択、変更ができることを使用者は直感的に理解できる。そして、メニューの種類を表す意匠を表示することで、使用者はメニューの種類を用意に理解できる。
【００４７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００４８】
また上記の説明では、操作入力を与える手段が表示パネル２０００の左側部の多機能ボタン２１０３を有するものとして説明した。しかしこの手法に限らず、この発明の装置は、外部インターフェース２４を介して、ＨＤＭＩ装置を含むＣＥＣ機能を用いて、デジタルテレビジョン受信装置と接続することができる。このときは、デジタルテレビジョン受信装置は、モニタとして機能する。さらに、当該デジタルテレビジョン受信装置を操作するリモートコントローラの十字キー、多機能ボタンを用いて、表示パネル２０００の左側部の多機能ボタン２１０３の操作と同じ操作を行うことが可能である。
【００４９】
またこの発明は、制御方法及びこの制御方法を実効させるためのプログラム、さらにはこのプログラムを格納した記憶媒体にも及ぶものである。
【００５０】
即ち、この発明の撮像装置は、画像取り込み部で取得された取得画像データを処理する画像データ処理部と、前記画像データ処理部で処理された表示用画像データを表示する表示部と、前記画像データ処理部で処理された記憶用画像データを記憶する記憶部と、前記画像取り込み部、画像データ処理部、表示部、および記憶部を制御する制御部を有する。
【００５１】
ここで、前記表示部の左側領域に対してリング形の一部分の湾曲帯状像を表示させるステップと、前記湾曲帯状像の左側である内側領域に現在のメニューが撮影メニューであるのか、再生メニューであるのか、セットアップメニューであるのかを識別するメニュー種類識別アイコン像を表示させるステップと、前記湾曲帯状像上には、表示したメニュー種類識別アイコン像に対応した複数のメニュー項目アイコン像と、セットアップ用アイコン像を配列するステップとを有する。
【００５２】
また、前記湾曲帯状像の右側である外側領域に前記メニュー項目アイコン像に対応してその意味を文字表示させる。
【００５３】
そして、前記表示部は表示パネルを含み前記表示パネルの左側辺の中央に、操作入力を与えるジョグダイヤルが設けられ、このジョグダイヤルの上部にメニューボタンが設けられており、再生モードで前記メニューボタンが押されたときに、前記湾曲帯状像の左側である内側領域に再生メニューのメニュー種類識別アイコン像を表示させ、撮影モードで前記メニューボタンが押されたときに、前記湾曲帯状像の左側である内側領域に撮影メニューのメニュー種類識別アイコン像を表示させる。さらに、前記撮影モード、前記再生モードのいずれでも、前記湾曲帯状像上のセットアップ用アイコン像が選択されて前記多機能ボタン２１０３が押されたときに、セットアップメニューに移行する。
【００５４】
上記した方法を実行させるためのプログラムにも特徴を備えており、且つこのプログラムを格納した記録媒体（メモリ）も特徴を備えている。
【図面の簡単な説明】
【００５５】
【図１】この発明が適用された撮像装置の概観を示す説明図である。
【図２】図１の撮像装置の内部の電気的機能ブロックを示す図である。
【図３】図２の制御部の内部の機能ブロックを示す図である。
【図４】図４は再生モードにおいて再生メニューが表示された様子を示す説明図である。
【図５】図５は再生メニューが表示されたときに調整・設定できるメニュー項目の種類を示す説明図である。
【図６】図６は撮影モードにおいて撮影メニューが表示された様子を示す説明図である。
【図７】図７は撮影メニューが表示されたときに調整・設定できるメニュー項目の種類を示す説明図である。
【図８】図８はセットアップモードにおいてセットアップメニューが表示された様子を示す説明図である。
【図９】図９はセットアップメニューが表示されたときに調整・設定できるメニュー項目の種類を示す説明図である。
【図１０】図１０は、メニューが表示されたとき多機能ボタン２１０３を操作するとどのようにカーソルが移行するかを説明するために示した説明図である。
【図１１】図１１はこの発明に係る装置がメニュー項目の表示状態に至るまでの簡単な動作フローを示す説明図である。
【符号の説明】
【００５６】
１０００・・・撮像装置本体、１１００・・・電源スイッチ、１１０１・・・ズームレバー、１１０２・・・撮像／再生切替ボタン、１１０３・・・撮影ボタン、１１０４・・・チャプターボタン、２０００・・・表示パネル、２１００・・・ジョグダイヤル、２１０１・・・メニューボタン、２１０３・・・多機能ボタン、１００・・・画像取り込み部、２００・・・画像データ処理部、３００・・・表示部、４００・・・記憶部、５００・・・制御部。
【図１】
2009077228.tif 000003
【図２】
2009077228.tif 000004
【図３】
2009077228.tif 000005
【図４】
2009077228.tif 000006
【図５】
2009077228.tif 000007
【図６】
2009077228.tif 000008
【図７】
2009077228.tif 000009
【図８】
2009077228.tif 000010
【図９】
2009077228.tif 000011
【図１０】
2009077228.tif 000012
【図１１】
2009077228.tif 000013